(57)【要約】【課題】変形、破損させたり、放熱性を損なったりすることなく、レーザ光を精度よく出射できるようにフレーム型の半導体レーザを保持する。【解決手段】放熱用突出部４１２が下側ホルダ部材５１の嵌合凹部５１１に嵌合されるとともに、基部４３２が枠体挿入部５１２に挿入されるようにレーザ光源４を下側ホルダ部材５１に配置し、挿入凹部５２１に壁部４３１が挿入されるとともに、ボス５２３がボス孔５１４に、ボス４２４がボス孔５１５に圧入されることで、上側ホルダ部材５２が下側ホルダ部材５１に固定される。【選択図】図３
2008294311.tif 000002
【特許請求の範囲】
【請求項１】
上面にレーザダイオードチップが搭載された金属製のフレームと、前記フレームに取り付けられ、前記レーザダイオードチップの左右及び後部を囲むとともに、レーザ光の出射部が形成された樹脂製の枠体とを有するフレームタイプのレーザ光源を保持するフレームレーザホルダであって、
下面の中央部に前記枠体が挿入される挿入凹部と、前記挿入凹部の前面と近接して形成された溝状のレーザ出射口と、前記挿入凹部よりはなれた位置より前記挿入凹部を挟んで下方に突出された一対のボスとを備え、前記レーザ光源を上側より支持する上側ホルダ部材と、
上面の中央部に前記枠体の側方に突出した前記フレームの放熱用突出部が嵌合される嵌合凹部と、前記嵌合凹部の後背部に形成され前記放熱用突出部と当接する抜け止め部と、上面の前記嵌合凹部よりはなれた位置に、前記嵌合凹部を挟んで上方に開口された一対のボス孔とを備え前記レーザ光源を下側より支持する下側ホルダ部材とを有し、
前記レーザ光源の前記放熱用突出部を前記嵌合凹部に嵌合させるとともに、前記枠体を前記挿入凹部に挿入させ、前記上側ホルダ部材で前記放熱用突出部を押圧しつつ前記ボスが前記ボス孔に圧入されることで前記レーザ光源が保持されていることを特徴とするフレームレーザホルダ。
【請求項２】
前記一対のボス孔は一方が前記一対のボス孔に並ぶ方向に伸びる長円形状に形成されていることを特徴とする請求項１に記載のフレームレーザホルダ。
【請求項３】
前記一対のボスの少なくとも一つには軸に沿って形成され、前記ボスを複数に分割するスリットが備えられていることを特徴とする請求項１又は請求項２に記載のフレームレーザホルダ。
【請求項４】
前記ボスの少なくとも一方に形成されたスリットが前記ボスの軸に垂直な面で切断したときの断面が一文字状であり、前記ボスを２分割するものであることを特徴とする請求項３に記載のフレームレーザホルダ。
【請求項５】
前記スリットは断面形状が前記一対のボスが並ぶ方向に伸びる一文字形状であることを特徴とする請求項４に記載のフレームレーザホルダ。
【請求項６】
前記ボスの少なくとも一方に形成されたスリットは前記ボスの軸に垂直な面で切断したときの断面が十文字状であり、前記ボスを４分割することを特徴とする請求項３から請求項５に記載のフレームレーザホルダ。
【請求項７】
前記ボスは前記スリットによって、それぞれ等しい形状に分割されることを特徴とする請求項３から請求項６のいずれかに記載のフレームレーザホルダ。
【請求項８】
前記上側ホルダ部材は前記下側ホルダ部材よりも弾性係数が小さな材料で形成されていることを特徴とする請求項１から請求項７のいずれかに記載のフレームレーザホルダ。
【請求項９】
少なくとも前記下側ホルダ部材が金属で形成されていることを特徴とする請求項１から請求項８のいずれかに記載のフレームレーザホルダ。
【請求項１０】
前記上側ホルダ部材が樹脂で形成されていることを特徴とする請求項１から請求項９のいずれかに記載のフレームレーザホルダ。
【請求項１１】
請求項１から請求項１０のいずれかに記載のフレームレーザホルダを用いて前記フレームタイプのレーザ光源を保持していることを特徴とする光ピックアップ。
【発明の詳細な説明】
【技術分野】
【０００１】
光ディスクにレーザ光を照射しデータを記録又は再生する光ピックアップに光源として採用されるフレームタイプのレーザ光源を保持するためのレーザホルダ及びこれを用いた光ピックアップに関するものである。
【背景技術】
【０００２】
光ディスク装置は円盤状の光ディスクにレーザ光を照射する光ピックアップには、光源となるレーザ光源、プリズム、レンズ等の部品が搭載されている。また、近年、前記光ディスク装置は薄型化する傾向にあるとともに、ＢＤやＨＤ−ＤＶＤといったトラック幅が狭い光ディスクも登場してきており、前記光ピックアップに微妙な動作が要求されている。
【０００３】
このような要求を解決するために、レーザ光源として、軽量／薄型であるフレームレーザと呼ばれる半導体レーザが多く用いられている。前記フレームレーザは導電性を有するフレームと、前記フレームに搭載されるレーザダイオードチップと、合成樹脂にて形成され、前記フレームに取り付けられた樹脂モールド部とを有している。
【０００４】
前記フレームには、前記レーザダイオードチップが搭載されたチップ搭載フレーム部と、前記チップ搭載フレーム部と一体に形成されたリード部と、前記樹脂モールド部に前記リード部を挟んで取り付けられた一対のリードフレーム部とを有している。前記リードフレーム部は前記フレームと電気的に絶縁されているとともに、前記レーザダイオードチップと電気的に接続されている。
【０００５】
前記フレームレーザではレーザダイオードチップが外部に表出している。そこで、前記レーザダイオードチップに塵、埃等の異物が付着したり、無理な力が付勢したりするのを抑制するため、前記光ピックアップは前記フレームレーザの前記チップ搭載フレーム部を内部に収納するレーザホルダを備えている。そして、前記フレームレーザが収納された前記レーザホルダを前記光ピックアップの所定の位置に取り付ける。
【０００６】
また、前記レーザダイオードチップはレーザ光を出射するときに発熱する。前記レーザダイオードチップを安定して駆動させるためにはこの熱を取り除く必要があり、前記チップ搭載フレーム部及び前記レーザホルダを介して外部に排出される。
【０００７】
前記レーザホルダに前記フレームレーザを取り付ける場合、前記レーザホルダに形成されたレーザホルダに直接前記フレームレーザのチップ搭載フレーム部を接着固定するもの（たとえば特開２００７-４８３３９号公報）や、レーザホルダに形成された挿入孔に挿入するもの（特開２００６−１２８６０４号公報）二つ割りのレーザホルダで、フレームレーザをはさみ前記二つ割りのレーザホルダを接着にて固定するもの（実用新案登録第３１１０１５８号公報）等が提案されている。
【特許文献１】実用新案登録第３１１０１５８号公報
【特許文献２】特開２００７-４８３３９号公報
【特許文献３】特開２００６−１２８６０４号公報
【発明の開示】
【発明が解決しようとする課題】
【０００８】
しかしながら、前記レーザホルダに前記フレームレーザを接着固定するものの場合、前記レーザホルダと前記フレームレーザの間に熱伝導性があまりよくない接着剤が介在してしまうことになるので、前記フレームレーザから前記レーザホルダへの熱の伝達が悪く、放熱性が悪い。また、接着剤の塗布量や接着時の傾き等によって接着のばらつきが出てしまうことが多く、レーザ光の出力、光軸のずれに対する精度を高く維持するのが難しい。
【０００９】
同様に、前記二つ割りのレーザホルダにて前記フレームレーザを保持するものも、接着によるばらつきが出てしまい、光ピックアップに取り付けるときの取り付け精度を一定に保つのが難しい場合がある。
【００１０】
さらに、レーザホルダに形成された挿入孔に前記フレームレーザを挿入するものの場合、前記フレームレーザを挿入するときにかかる力によって、変形してしまったり、破損してしまったりする場合があり、その場合、レーザ光を精度よく出射することができない場合がある。
【００１１】
そこで本発明は、変形、破損させたり、放熱性を損なったりすることなく、レーザ光を精度よく出射できるようにフレーム型の半導体レーザを保持することができるレーザホルダを提供することを目的とする。
【課題を解決するための手段】
【００１２】
上記目的を達成するために本発明は、上面にレーザダイオードチップが搭載された金属製のフレームと、前記フレームに取り付けられ、前記レーザダイオードチップの左右及び後部を囲むとともに、レーザ光の出射部が形成された樹脂製の枠体とを有するフレームタイプのレーザ光源を保持するフレームレーザホルダであって、下面の中央部に前記枠体が挿入される挿入凹部と、前記挿入凹部の前面と近接して形成された溝状のレーザ出射口と、前記挿入凹部よりはなれた位置より前記挿入凹部を挟んで下方に突出された一対のボスとを備え、前記レーザ光源を上側より支持する上側ホルダ部材と、上面の中央部に前記枠体の側方に突出した前記フレームの放熱用突出部が嵌合される嵌合凹部と、前記嵌合凹部の後背部に形成され前記放熱用突出部と当接する抜け止め部と、上面の前記嵌合凹部よりはなれた位置に、前記嵌合凹部を挟んで上方に開口された一対のボス孔とを備え前記レーザ光源を下側より支持する下側ホルダ部材とを有し、前記レーザ光源の前記放熱用突出部を前記嵌合凹部に嵌合させるとともに、前記枠体を前記挿入凹部に挿入させ、前記上側ホルダ部材で前記放熱用突出部を押圧しつつ前記ボスが前記ボス孔に圧入されることで前記レーザ光源が保持されていることを特徴とする。
【００１３】
この構成によると、下側ホルダ部材と上側ホルダ部材をフレームタイプのレーザ光源と離れた部分に形成されたボスとボス孔の圧入によって固定されるので、前記下側ホルダ部材と前記上側ホルダ部材を固定するためのボルト等の部材や接着剤等が不要であるため、構成物品を少なくすることが可能である。
【００１４】
これにより、前記レーザ光源を前記下側ホルダ部材と前記上側ホルダ部材で挟んで保持する場合の、手間と時間を削減することができる。
【００１５】
また、フレームタイプのレーザ光源をフレームレーザホルダにて保持するときに、圧入ボス及びボス孔が、前記レーザ光源を実際保持する挿入凹部或いは嵌合凹部と離れて形成されているので、前記レーザ光源を構成する部材に応力、ひずみが作用し、変形したり、破損したりするのを抑制することができる。
【００１６】
これにより、レーザ光源を正確に組み付けることができ、それだけ、前記下側ホルダ部材と前記上側ホルダ部材レーザ光の照射精度が低下するのを抑制することができる。さらに、レーザ光源で発生する熱を効果的に放出させることが可能であるので、熱によるレーザ光の出力変化を抑制することができ、安定して動作させることが可能である。
【００１７】
上記構成において、前記一対のボス孔は一方が前記一対のボス孔に並ぶ方向に伸びる長円形状に形成されているものであってもよい。これにより、ボス及び（又は）ボス孔が予め定められている位置とずれて形成されてしまった場合であっても、ボスの圧入時に想定外の応力、ひずみが発生するのを抑制することができる。
【００１８】
上記構成において、前記一対のボスの少なくとも一つには軸に沿って形成され、前記ボスを複数に分割するスリットが備えられているものであってもよい。この構成によると、前記ボスが圧入されるときに前記ボスが変形することで、前記上側ホルダ部材及び前記下側ホルダ部材に作用する応力、ひずみを抑制しつつ、固定も行うことができる。これにより、前記レーザ光源の破損、変形を抑制することができ、レーザ光の照射精度の低下を抑制することが可能である。
【００１９】
上記構成において、前記ボスは前記ボスの少なくとも一方に形成されたスリットが前記ボスの軸に垂直な面で切断したときの断面が一文字状であり、前記ボスを２分割するものであってもよい。このとき、前記スリットとして断面形状が前記一対のボスが並ぶ方向に伸びる一文字形状であるものを挙げることができる。また、前記ボスは、前記ボスの少なくとも一方に形成されたスリットは前記ボスの軸に垂直な面で切断したときの断面が十文字状であり、前記ボスを４分割するものであってもよい。
【００２０】
上記構成において、前記ボスは前記スリットによって、それぞれ等しい形状に分割されるものであってもよい。
【００２１】
前記上側ホルダ部材は前記下側ホルダ部材よりも弾性係数が小さな材料で形成されていてもよく、少なくとも前記下側ホルダ部材が金属で形成されているものであってもよい。また、前記上側ホルダ部材が樹脂で形成されていてもよい。下側ホルダ部材として亜鉛、ステンレスで形成されているものを挙げることができる。また、上側ホルダ部材としてアルミニウム、樹脂で形成されているものを挙げることができる。
【発明の効果】
【００２２】
本発明によると、変形、破損させたり、放熱性を損なったりすることなく、レーザ光を精度よく出射できるようにフレーム型の半導体レーザを保持することができるレーザホルダを提供することができる。
【発明を実施するための最良の形態】
【００２３】
以下に本発明の実施形態を図面を参照して説明する。図１は本発明にかかる光ピックアップの斜視図であり、図２は光ピックアップの概略配置を示す図である。図１に示す光ピックアップＡは光ディスクＤｓの記録面にレーザ光を照射し記録／再生を行うものであり本体１と、対物レンズを駆動するアクチュエータ２と、光源３とを備えている。図２に示す光ピックアップでは、便宜上、レーザ光の光路を実線で表示している。
【００２４】
光ピックアップＡはレーザ光を光ディスクＤｓに照射するための光学系を有しており、少なくとも、レーザ光源３と、偏光ビームスプリッタＰＢｓと、コリメータレンズＣＬと、立ち上げミラーＭｒと、１／４波長板Ｑｂと、対物レンズＯＬと、センサレンズＳＬと、受光素子Ｐｄとを備えている。
【００２５】
光源３はレーザ光を出射するものであり、光ディスクの記録／再生に利用されるものである。偏光ビームスプリッタＰＢｓは、入射されたレーザ光の偏光方向によって透過又は反射させるプリズムである。本発明では、光源３より出射され、偏光ビームスプリッタＰＢｓに入射したレーザ光は透過し、光ディスクＤｓの記録面で反射したレーザ光は偏光ビームスプリッタＰＢｓの反射され光源３とは異なる方向に出射される。
【００２６】
コリメータレンズＣＬは、点光源である光源３より出射された拡散光であるレーザ光を平行光に変換する。コリメータレンズＣＬより出射されたレーザ光は立ち上げミラーＭｒにて直交する方向に反射される。これにより、レーザ光の光路は光ディスクＤｓの記録層に直交する方向に変更される。
【００２７】
１／４波長板Ｑｂは入射する直線偏光の光を円偏光に、円偏光の光を直線偏光に変換するものである。対物レンズＯＬは、レーザ光を収束させレーザスポットとして光ディスクＤｓの記録面に照射させることができる。
【００２８】
光ディスクＤｓの記録面で反射されたレーザ光は再度１／４波長板Ｑｂに入射する。このとき、反射されたレーザ光は円偏光から直線偏光に変換される。この直線偏光に変換されたレーザ光の偏光方向は、光源３より出射されたレーザ光の偏光方向に対して直交する方向である。これにより、光ディスクＤｓの記録面で反射されたレーザ光は偏光ビームスプリッタＰＢｓで反射され、センサレンズＳＬを介して受光素子Ｐｄに入射する。受光素子Ｐｄでは、入射したレーザ光を電気信号に変換し、出力信号として記録／再生に利用する。
【００２９】
上述した光学部材のうち対物レンズＯＬはアクチュエータ２に配置される。アクチュエータ２は、光源３は本体１に取り付けられている。
【００３０】
次に、本発明にかかるフレームレーザホルダについて説明する。図３は本発明にかかるフレームレーザホルダを用いた光源の分解斜視図であり、図４は図３に示すフレームタイプのレーザ光源の平面図であり、図５は図４に示すレーザ光源の底面図であり、図６は図３に示すフレームレーザホルダを分解した状態の図である。図３に示すように光源３は、フレームタイプのレーザ光源４と、レーザ光源４を上下より保持するフレームレーザホルダ５とを有している。なお、レーザ光が出射される方向を正面側とする。
【００３１】
図４、図５に示すように、フレームタイプのレーザ光源４は、フレーム４１と、レーザダイオード４２と、枠体４３、リードフレーム４４とを有している。フレーム４１は金属の平板を加工することで形成されている。レーザダイオード４２は電力を供給することでレーザ光を出射する半導体素子であり、フレーム４１の上面４１ｕに搭載されている。フレーム４１とレーザダイオード４２とは電気的に接続されている。フレーム４１には後側より突出したリード部４１１が形成されている。
【００３２】
枠体４３は樹脂で形成されているものである。図４に示すように、フレーム４１の上面４１ｕと接触し、レーザダイオード４２の正面を除く３方を囲むように形成された壁部４３１と、図５に示すようにフレーム４１の下面４１ｄと接触する直方体形状の基部４３２と、壁部４３１及び基部４３２とを連結する連結部４３３とを有している。枠体４３はリード部４１１が連結部４３３を貫通するように、フレーム４１に取り付けられている。また、フレーム４１は枠体４３が取り付けられている部分の速報より突出した放熱用突出部４１２を有している。
【００３３】
リードフレーム４４は一対の棒状の部材であり、図３、図４、図５等に示すように、枠体４３にリード部４１１と平行となるように固定されている。リードフレーム４４は互いに電気的に絶縁であるとともに、各リードフレーム４４はフレーム４１とも絶縁である。リードフレーム４４はそれぞれレーザダイオード４２と電気的に接続されている。リード部４１１及び一対のリードフレーム４４を介してレーザダイオード４２に電力が供給されることで、レーザダイオード４２が駆動され、レーザ光が出射される。
【００３４】
図３に示すように、フレームレーザホルダ５は、フレームタイプのレーザ光源４を上下より挟み込んで保持するものであり、下側ホルダ部材５１と、上側ホルダ部材５２とを有している。下側ホルダ部材５１及び上側ホルダ部材５２は直方体形状を有している。
【００３５】
図５に示すように、下側ホルダ部材５１は、上側ホルダ部材５２と当接する面５１ａに、フレーム４１の外形と同じ形状を有し、フレーム４１が嵌合される嵌合凹部５１１と、枠体４３の基部４３２が挿入される枠体挿入部５１２と、嵌合凹部５１１の後部側に形成された抜け留め部５１３と、嵌合凹部５１１を挟んで形成されたボス孔５１４、５１５を有している。嵌合凹部５１１はフレーム４１の厚さと同じ深さを有するものであり、枠体挿入部５１２は嵌合凹部５１１の深さよりも深くなるように形成されている。また、嵌合凹部５１１はフレーム４１が嵌合されるときにフレーム４１を含むレーザ光源４が変形しないように、遊嵌されるものである。
【００３６】
上側ホルダ部材５２は、下側ホルダ部材５１と当接する当接面５２ａに、枠体４３の壁部４３１が挿入される挿入凹部５２１と、挿入凹部５２１の正面側に形成された凹溝形状のレーザ光出射口５２２と、挿入凹部５２１を挟み当接面５２ａより直交する方向に突設されたボス５２３、５２４とを有している。また、当接面５２ａの挿入凹部５２１の辺縁部は、レーザ光源４のフレーム４１を押圧する押圧部５２０が形成されている（図６参照）。
【００３７】
フレームレーザホルダ５は以下のようにしてレーザ光源４を保持している。フレーム４１の放熱用突出部４１２が下側ホルダ部材５１の嵌合凹部５１１に嵌合されるとともに、枠体４３の基部４３２が枠体挿入部５１２に挿入されるようにレーザ光源４を下側ホルダ部材５１に配置する。フレーム４１は嵌合凹部５１１に嵌合されるときに変形しない。
【００３８】
この状態で、上側ホルダ部材５２の挿入凹部５２１に枠体４３の壁部４３１が挿入されるとともに、ボス５２３がボス孔５１４に、ボス４２４がボス孔５１５に圧入されることで、上側ホルダ部材５２が下側ホルダ部材５１に固定される。このとき、上側ホルダ部材５２の押圧部５２０がフレーム４１の放熱用突出部４１２の一部を押圧し、レーザ光源４がフレームレーザホルダ５にずれないように保持される。
【００３９】
このように、ボス５２３、５２４をボス孔５１４、５１５に圧入することで、上側ホルダ部材５２を下側ホルダ部材５１に固定し、レーザ光源４を保持するので、圧入固定時に作用する力が、レーザ光源４のフレーム４１、レーザダイオード４２、枠体４３、リードフレーム４４に作用するのを抑制することができる。これにより、レーザ光源４の各部に力が付勢して、レーザダイオード４２より出射されるレーザ光の光軸、偏光方向等の精度が悪くなるのを抑制することが可能である。
【００４０】
このようにして、組み立てられた光源３を光ピックアップＡの本体１に、発光点位置、光軸の傾きを調整した後、接着剤にて固定される（図１参照）。また、接着剤以外にも、ボスを貫通させて溶着するもの、ボルトナットを用いて固定するもの、ビス止めするもの等、固定した後に、ずれたり、ゆがんだりするのを抑制することができる固定方法を広く採用することが可能である。そして、光ピックアップＡには、光源３の下側ホルダ部材５１と接触するように放熱板（図示省略）が取り付けられる。下側ホルダ部材５１と放熱板との間には放熱用のグリスが塗布される場合もある。
【００４１】
レーザ光源４の放熱用突出部４１２は下側ホルダ部材５１と接触して配置されているものであり、レーザダイオード４２の駆動により発生する熱は、フレーム４１、放熱用突出部４１２を介して、主として下側ホルダ部材５１に伝達され、さらに下側ホルダ部材５１に接触して配置されている光ピックアップの放熱板（図示省略）に伝達され、大気中に放熱される。ゆえに、下側ホルダ部材５１は、熱伝導率の高い金属を用いられることが好ましい。
【００４２】
また、下側ホルダ部材５１のボス孔５１４、５１５に、上側ホルダ部材５２のボス５２３、５２４が圧入されることで固定されるものであり、圧入によるひずみ、応力で嵌合凹部５１１が変形するのを抑制するために、下側ホルダ部材５１は上側ホルダ部材５２よりも大きな弾性係数を有するもので形成されることが好ましい。
【００４３】
このような、条件をかんがみて、下側ホルダ部材５１は、ステンレス鋼或いは亜鉛で形成されているものを採用することが可能である。このとき、上側ホルダ部材５２としては、樹脂、アルミニウムで形成されているものを採用することができる。またこれら以外にも、下側ホルダ部材５１が熱伝導率が高く、上側ホルダ部材５２よりも弾性係数が大きな部材の組み合わせを広く採用することができる。
【００４４】
次に、本発明にかかるフレームレーザホルダの他の例について説明する。図７は本発明にかかるフレームレーザホルダを用いた光源の分解斜視図であり、図８は図７に示すフレームレーザホルダを分解した状態の図である。なお、レーザ光源は図４、図５に示すレーザ光源と同じレーザ光源を用いるものである。
【００４５】
図７に示すように、フレームレーザホルダ６は、下側ホルダ部材６１と、上側ホルダ部材６２とを有している。下側ホルダ部材６１及び上側ホルダ部材６２は直方体形状を有している。
【００４６】
図８に示すように、下側ホルダ部材６１は、上側ホルダ部材６２と当接する面６１ａに、フレーム６１の外形と同じ形状を有し、フレーム６１が嵌合される嵌合凹部６１１と、枠体４３の基部４３２が挿入される枠体挿入部６１２と、嵌合凹部６１１の後部側に形成された抜け留め部６１３と、嵌合凹部６１１を挟んで形成された第１ボス孔６１４及び第２ボス孔６１５とを有している。嵌合凹部６１１はフレーム４１の厚さと同じ深さを有するものであり、枠体挿入部６１２は嵌合凹部６１１の深さよりも深くなるように形成されている。また、嵌合凹部６１１はフレーム４１が嵌合されるときにフレーム４１を含むレーザ光源４が変形しないように、遊嵌されるものである。
【００４７】
第１ボス孔６１４は、第１ボス孔６１４と第２ボス孔６１５とをつなぐ方向に伸びる長円形の断面形状を有する孔であり、第２ボス孔６１５は円筒形状の孔である。
【００４８】
上側ホルダ部材６２は、下側ホルダ部材６１と当接する当接面６２ａに、枠体４３の壁部４３１が挿入される挿入凹部６２１と、挿入凹部６２１の正面側に形成された凹溝形状のレーザ光出射口６２２と、挿入凹部６２１を挟み当接面６２ａより直交する方向に突設された第１ボス６２３及び第２ボス６２４とを有している。また、当接面６２ａの挿入凹部６２１の辺縁部は、レーザ光源４のフレーム４１を押圧する押圧部６２０が形成されている。
【００４９】
第１ボス６２３は第１ボス孔６１４に圧入されるボスであり、第１ボス孔６１４の長手方向に伸びる一文字状の断面形状を有するスリット６２３１を備えている。このスリットに６２３１によって、第１ボス６２３は２個に分割されている。また、第２ボス６２４は第２ボス孔６１５に圧入されるボスであり、十字状の断面形状を有するスリット６２４１を備えている。このスリット６２４１によって、第２ボス６２４は４個に分割される。
【００５０】
第１ボス孔６１４を長円形の凹孔とすることで、第１ボス孔６１４と第２ボス孔６１５との間隔を可変とすることができる。これにより、第１ボス６２３と第２ボス６２４との間隔が設計上決められている長さよりも長くなったり、短くなったりした場合でも、第１ボス６２３及び第２ボス６２４を第１ボス孔６１４及び第２ボス孔６１５圧入するときに、大きな力を必要としない。このことは、圧入によって、下側ホルダ部材６１に無理な応力が付勢するのを抑制することができ、レーザ光源４に無理な応力が付勢するのを抑制し、レーザ光の照射精度が低下するのを抑制することができる。なお、上記実施例では第１ボス孔６１４が長円形状の凹孔で形成されているものを示しているが、第１ボス孔６１４が円筒形状の凹孔で、第２ボス孔が長円形状の凹孔で形成されているものであってもよい。
【００５１】
また、第１ボス６２３は軸に垂直な断面が一文字状のスリット６２３１が形成されていることで、第１ボス６２３が変形しつつ圧入される。これにより、第１ボス６２３の圧入によって下側ホルダ部材６１に発生する応力、ひずみを低減することができるので、レーザ光源４に無理な応力が付勢するのを抑制することができる。さらに、第２ボス６２４は軸に垂直な断面が十字形状のスリット６２４１が形成されているので、円筒形状の凹孔である第２ボス孔６１５に第２ボス６２４が変形しつつ圧入される。これにより、第２ボス６２４の圧入によって下側ホルダ部材６１に発生する応力、ひずみを低減することができるので、レーザ光源４に無理な応力が付勢するのを抑制することができる。
【００５２】
また、第１ボス６２３及び第２ボス６２４は変形するが、側面を第１ボス孔６１４及び第２ボス孔６１５に当接させながら変形するので、その摩擦により、下側ホルダ部材６１と上側ホルダ部材６２とは抜けないように固定される。
【００５３】
なお、上記実施例では、第１ボス６２３のスリット６２３１は、第１ボス孔６１４の長手方向と同じ方向に伸びる一文字状の断面形状を有するものを採用しているが、十文字形状のものとしてもよい。また、第１ボス６２３、第２ボス６２４の両方に、一文字状のスリット或いは十文字形状のスリットが形成されているものであってもよい。
【００５４】
さらに、第１ボス及び第２ボスのいずれにも一文字状或いは十字状のスリットが形成された上側ホルダ部材６２と、図６に示すような第１ボス孔及び第２ボス孔が円筒形状の凹孔である下側ホルダ部材５１とを用いるものであってもよい。この場合であっても、第１ボス６２３及び第２ボス６２４が変形するように形成されているので、レーザ光源４に圧入による応力が作用するのを抑制することが可能である。
【００５５】
以上のように、第１ボス及び第２ボスにスリットが形成されている上側ホルダ部材６２を用いる場合、第１ボス及び第２ボスが変形しやすく形成されているので、上側ホルダ部材と下側ホルダ部材とを同じ材質で形成してもよい。
【００５６】
以上、発明の実施形態を具体的に説明したが、本発明は上記実施形態に限定するものではなく、その要旨を逸脱しない範囲で種々変更可能である。各実施形態に記載した特徴のうち複数を備えていてもよい。
【産業上の利用可能性】
【００５７】
本発明は、光ディスクにレーザ光を照射する光ピックアップ及び光ピックアップに備えられた光源に採用することが可能である。
【図面の簡単な説明】
【００５８】
【図１】本発明にかかる光ピックアップの斜視図である。
【図２】光ピックアップの概略配置を示す図である。
【図３】本発明にかかるフレームレーザホルダを用いた光源の分解斜視図である。
【図４】図３に示すフレームタイプのレーザ光源の平面図である。
【図５】図４に示すレーザ光源の底面図である。
【図６】図３に示すフレームレーザホルダを分解した状態の図である。
【図７】本発明にかかるフレームレーザホルダを用いた光源の分解斜視図である。
【図８】図７に示すフレームレーザホルダを分解した状態の図である。
【符号の説明】
【００５９】
１  本体
２  アクチュエータ
３  光源
４  フレームタイプのレーザ光源
４１  フレーム
４１１  リード部
４１２  放熱用突出部
４２  レーザダイオード
４３  枠体
４３１  壁部
４３２  基部
４３３  連結部
４４  リードフレーム
５  フレームレーザホルダ
５１  下側ホルダ部材
５１１  嵌合凹部
５１２  枠体挿入部
５１３  抜け留め部
５１４  ボス孔
５１５  ボス孔
５２  上側ホルダ部材
５２０  押え部
５２１  挿入凹部
５２２  レーザ光出射口
５２３  ボス
５２４  ボス
６  フレームレーザホルダ
６１  下側ホルダ部材
６１１  嵌合凹部
６１２  枠体挿入部
６１３  抜け留め部
６１４  第１ボス孔
６１５  第２ボス孔
６２  上側ホルダ部材
６２０  押え部
６２１  挿入凹部
６２２  レーザ光出射口
６２３  第１ボス
６２４  第２ボス
【図１】
2008294311.tif 000003
【図２】
2008294311.tif 000004
【図３】
2008294311.tif 000005
【図４】
2008294311.tif 000006
【図５】
2008294311.tif 000007
【図６】
2008294311.tif 000008
【図７】
2008294311.tif 000009
【図８】
2008294311.tif 000010